(57)【要約】【課題】回路基板の適切なグランド構造を選択可能な表示装置、および、その表示装置に用いられる回路基板を提供する。【解決手段】複数の表示画素ＰＸからなる表示部１２を含む表示パネル１０と、表示パネル１０に接続手段１６を介して接続された回路基板１４と、を備え、回路基板１４は、絶縁層を介して配置された複数の導電層Ｌ１、Ｌ２、Ｌ３と、外部アース手段と接続する接地部１４ｂと、を備え、複数の導電層Ｌ１、Ｌ２、Ｌ３は、外部アース手段によって接地された第１導電部Ｌ１Ａ、および、接続部材ＣＮ１〜ＣＮ３によって第１導電部Ｌ１Ａと接続可能な少なくとも１つの導電部Ｌ１Ｂ〜Ｌ１Ｄ、を有する第１導電層Ｌ１を備え、複数の導電層Ｌ１、Ｌ２、Ｌ３のうちの他の導電層Ｌ２、Ｌ３は、第１導電部Ｌ１Ａ又は導電部Ｌ１Ｂ〜Ｌ１Ｄのいずれかを介して接地可能である。【選択図】図２
2010026169.tif 000002
【特許請求の範囲】
【請求項１】
複数の表示画素からなる表示部を含む表示パネルと、
前記表示パネルに接続手段を介して接続された回路基板と、を備え、
前記回路基板は、絶縁層を介して配置された複数の導電層と、外部アース手段と接続する接地部と、を備え、
前記複数の導電層は、前記外部アース手段によって接地された第１導電部、および、接続部材によって前記第１導電部と接続可能な少なくとも１つの導電部、を有する第１導電層を備え、
前記複数の導電層のうちの他の導電層は、前記第１導電部又は前記導電部のいずれかを介して接地可能である表示装置。
【請求項２】
前記第１導電部は島状であって、
前記第１導電層は、前記第１導電部と第１抵抗によって接続可能な島状の第２導電部と、前記第１導電部と第２抵抗によって接続可能である第３導電部と、をさらに備え、
前記第１抵抗および前記第２抵抗の有無によりグランド構造を選択可能である請求項１記載の表示装置。
【請求項３】
前記複数の導電層は、第１導電層の下層に配置された第２導電層と、前記第２導電層の下層に配置された第３導電層と、をさらに有し、
前記第３導電部は、前記第１導電層、前記第２導電層および、第３導電層を電気的に接続するための接続手段を有する請求項２記載の表示装置。
【請求項４】
前記複数の導電層は、第１導電層の下層に配置された第２導電層と、前記第２導電層の下層に配置された第３導電層とをさらに有し、
前記第２導電部は、前記第１導電層、前記第２導電層、および前記第３導電層のうちの２つの導電層のみを電気的に接続するための接続手段を有する請求項２又は請求項３のいずれか１項記載の表示装置。
【請求項５】
前記第１導電部は島状であって、
前記第１導電層は、複数の位置に配置される抵抗によって前記第１導電部と接続可能な第２導電部をさらに備え、
前記複数の抵抗の有無によりグランド構造を選択可能である請求項１記載の表示装置。
【請求項６】
絶縁層を介して配置された複数の導電層と、外部アース手段と接続する接地部と、を備え、
前記複数の導電層は、前記外部アース手段によって接地された第１導電部、および、接続部材によって前記第１導電部と接続可能な少なくとも１つの導電部、を有する第１導電層を備え、
前記複数の導電層のうちの他の導電層は、前記第１導電部又は前記導電部のいずれかを介して接地可能である表示装置。
【発明の詳細な説明】
【技術分野】
【０００１】
この発明は、表示装置および表示装置に用いる回路基板に関し、特に、アクティブマトリクス型の表示装置およびその表示装置に用いる回路基板に関する。
【背景技術】
【０００２】
表示装置として、例えば液晶表示装置は、複数の表示画素からなる表示部を備えた液晶表示パネル、および、この液晶表示パネルにフレキシブル基板等の接続手段を介して接続された回路基板を有している。
【０００３】
この回路基板は、例えばＰＣＢ（Printed Circuit Board）であって、絶縁層を介して配置された複数の導電層を有している。回路基板は、例えば回路基板の角部に配置された接地部を有している。接地部では、複数の導電層に含まれるグランド層と外部アースとが接続される。
【０００４】
回路基板のグランド層と外部アースとは、回路基板を外部ケース等に固定するためのビス等により接続される場合がある。この場合、グランド層を含む複数の導電層がビス等によって電気的に接続された構造とするか、静電気対策としてグランド層をゲート層等と分離可能な構造（フローティング）とする事が多い。
【０００５】
従来、プリント基板のいずれかの位置からでも、最短でアース接地が可能なアース接続構造部を備えた多層プリント基板が提案されている。
【０００６】
（特許文献１参照）。
【特許文献１】特開２００４−１０４０３７号公報
【発明の開示】
【発明が解決しようとする課題】
【０００７】
上記のようにビス等によって回路基板と外部アースとを接続する場合、外部アースから回路基板への静電気等のノイズは、ビス等を介して回路基板の複数の導電層に広がる。外部アースから回路基板へのノイズは、例えば回路基板の回路配置や部品材料等に応じた適切な経路で複数の導電層に広がることが望ましい。
【０００８】
しかし、接続する外部アースと回路基板との配線パターンの組合せに応じた、回路基板のグランド構造の適切な設計は、設計段階で分からない場合が多かった。例えば、設計段階では、回路基板のグランド構造内の外部アースに接続される部分をフローティングとするのがいいのか、ビス等で複数の導電層を接続するパターンとするのが良いのか等、分からない場合が多かった。そのため、回路基板の実装後に、回路基板に搭載された回路へのグランド構造から広がった静電気等のノイズによる影響が大きくなってしまうことがあった。
【０００９】
本発明は、上記の事情に鑑みて成されたものであって、回路基板の適切なグランド構造を選択可能な表示装置、および、その表示装置に用いられる回路基板を提供することを目的とする。
【課題を解決するための手段】
【００１０】
本発明の第一態様による表示装置は、複数の表示画素からなる表示部を含む表示パネルと、前記表示パネルに接続手段を介して接続された回路基板と、を備え、前記回路基板は、絶縁層を介して配置された複数の導電層と、外部アース手段と接続する接地部と、を備え、前記複数の導電層は、前記外部アース手段によって接地された第１導電部、および、接続部材によって前記第１導電部と接続可能な少なくとも１つの導電部、を有する第１導電層を備え、前記複数の導電層のうちの他の導電層は、前記第１導電部又は前記導電部のいずれかを介して接地可能である。
【００１１】
本発明の第二態様による回路基板は、絶縁層を介して配置された複数の導電層と、外部アース手段と接続する接地部と、を備え、前記複数の導電層は、前記外部アース手段によって接地された第１導電部、および、接続部材によって前記第１導電部と接続可能な少なくとも１つの導電部、を有する第１導電層を備え、前記複数の導電層のうちの他の導電層は、前記第１導電部又は前記導電部のいずれかを介して接地可能である。
【発明の効果】
【００１２】
この発明によれば、外部アース構造に関わらず、適切な回路基板のグランド構造を選択可能な表示装置、および、その表示装置に用いられる回路基板を提供することができる。
【発明を実施するための最良の形態】
【００１３】
以下、本発明の第１実施形態に係る表示装置およびその表示装置に用いられる回路基板について、図面を参照して説明する。図１は、本発明の一実施形態に係る液晶表示装置１００を概略的に示す分解斜視図である。図１に示すように、液晶表示装置１００は、略矩形状の液晶表示パネル１０、液晶表示パネル１０を裏面から照明する面光源装置３０、液晶表示パネル１０と面光源装置３０とを支持するフレーム４０、およびフレーム４０に取り付けられて液晶表示パネル１０の周縁部を保持するベゼルカバー２０を備えている。
【００１４】
液晶表示パネル１０は、対向配置されたアレイ基板１１と対向基板１３とを備えている。アレイ基板１１と対向基板１３との間には液晶層が挟持され、アレイ基板１１と対向基板１３との外側にはそれぞれ偏光板（図示せず）が配置されている。
【００１５】
液晶表示パネル１０は、画像を表示させる表示領域に相当する表示部１２を有している。アレイ基板１１は、表示部１２において、表示画素ＰＸ毎に配置された画素電極（図示せず）、画素ＰＸの行方向に沿って延在する複数の走査線Ｓｃ、画素ＰＸの列方向に沿って延在する複数の信号線Ｓｇ、およびこれら走査線Ｓcと信号線Ｓｇとの交差部付近において画素ＰＸ毎に配置されたスイッチング素子Ｓw等を備えている。
【００１６】
スイッチング素子Ｓwは、例えばポリシリコン半導体層（図示せず）を有した薄膜トランジスタ（ＴＦＴ）によって構成されている。スイッチング素子Ｓｗのゲート電極は対応する走査線Ｓｃに接続されている。スイッチング素子Ｓｗのソース−ドレインパスは、対応する信号線Ｓｇと画素電極との間を接続する。
【００１７】
対向基板１２は、液晶層を介して複数の画素電極と対向するように配置された対向電極（図示せず）を有している。対向電極は図示しない対向電極駆動回路によって駆動され、対向電極には所定の対向電圧が印加される。
【００１８】
走査線Ｓｃは、図示しない走査線駆動回路によって順次駆動され、走査線Ｓｃにはスイッチング素子Ｓｗをオン又はオフするための走査信号が供給される。信号線Ｓｇは、図示しない信号線駆動回路によって駆動され、信号線Ｓｇには所定の映像信号が供給される。
【００１９】
アレイ基板１１および対向基板１３は、全表示画素ＰＸの画素電極２２と対向電極３１とを対向させた状態で配置され、これらの間にギャップを形成する。液晶層は、アレイ基板１１と対向基板１３とのギャップに封止された液晶組成物によって形成されている。
【００２０】
所定の走査線Ｓｃにスイッチング素子Ｓｗをオンするための走査信号が供給されると、所定の走査線Ｓｃにゲート電極が接続されたスイッチング素子Ｓｗのソース−ドレインパスが導通し、所定の信号線Ｓｇから画素電極へと映像信号が印加される。画素電極に印加された映像信号と、対向電極に印加された対向電圧との電位差によって、液晶層に含まれる液晶分子の配向状態が制御される。
【００２１】
液晶表示パネル１０に表示画素ＰＸを駆動する駆動信号を供給する矩形平板状の回路基板１４は、細長い矩形略平板状のフレキシブル基板１６を介して、液晶表示パネル１０の一側縁に電気的に接続されている。
【００２２】
回路基板１４は、グランド構造の一部として、例えば基板の角部に配置された接地部１４ｂを有している。図２に示すように、回路基板１４は、熱可塑性樹脂からなる絶縁基材（図示せず）を介して配置された複数の導電層Ｌ１、Ｌ２、Ｌ３と、接地部１４ｂにおいて導電層Ｌ１、Ｌ２、Ｌ３を貫通するように配置されたビスＥＰ１と、を有している。回路基板１４は、例えば外部に取り付けられる金属カバーと、接地部１４ｂに配置されたビスＥＰ１とが電気的に接続されることにより、ビスＥＰ１を介して接地される。
【００２３】
導電層Ｌ１は、回路基板１４の上面側に配置された導電層である。導電層Ｌ１は、略矩形状の導電部Ｌ１Ａと、図２に示す線Ａ−Ａ´が延びる方向において導電部Ｌ１Ａと並ぶように配置された略矩形状の導電部Ｌ１Ｂおよび導電部Ｌ１Ｃと、導電部Ｌ１Ａ乃至導電部Ｌ１Ｃを囲むように配置された導電部Ｌ１Ｄとを有している。
【００２４】
線Ａ−Ａ´における断面において、導電層Ｌ２は、３つの導電部Ｌ２Ａ、Ｌ２Ｂ、Ｌ２Ｃを有している。線Ａ−Ａ´における断面において、導電部Ｌ２Ａは導電部Ｌ１Ａに対向して配置されている。導電部Ｌ２Ｂは、導電部Ｌ１Ｄに対向して配置されている。導電部Ｌ２Ｃは、導電部Ｌ１Ｃおよび導電部Ｌ１Ｄに対向するように配置されている。
【００２５】
線Ａ−Ａ´における断面において、導電層Ｌ３は２つの導電部Ｌ３Ａ、Ｌ３Ｂを有している。線Ａ−Ａ´における断面において、導電部Ｌ３Ａは、導電部Ｌ１Ａ、導電部Ｌ１Ｂ、および、導電部Ｌ１Ｄに対向するように配置されている。導電部Ｌ３Ｂは、導電部Ｌ１Ｄに対向するように配置されている。
【００２６】
第１導電部Ｌ１Ａには、ビスＥＰ１が配置されるホールが設けられている。第２導電部Ｌ１Ｂ乃至第４導電部Ｌ１Ｄには、導電層Ｌ１と、他の導電層Ｌ２、Ｌ３の少なくとも１層と接続するための接続手段としてのスルーホールＴＨ１乃至ＴＨ４が設けられている。
【００２７】
スルーホールＴＨ１乃至ＴＨ４には導電性部材が配置されている。スルーホールＴＨ１およびスルーホールＴＨ４は、線Ａ−Ａ´の延びる方向において、導電部Ｌ１Ｄの一方の端部と他方の端部とにそれぞれ配置されている。
【００２８】
スルーホールＴＨ１は、導電部Ｌ１Ｄに設けられている。スルーホールＴＨ１は、導電層Ｌ２の導電部Ｌ２Ｂを貫通するように設けられている。導電層Ｌ１乃至導電層Ｌ３は、スルーホールＴＨ１に配置された導電性部材によって、互いに電気的に接続されている。
【００２９】
スルーホールＴＨ２は、導電部Ｌ１Ｂに設けられている。導電層Ｌ２は、スルーホールＴＨ２の下層部分において除去されている。従ってスルーホールＴＨ２に配置された導電性部材によって導電層Ｌ１と導電層Ｌ３とが電気的に接続される。なお、この導電性部材は導電層Ｌ１、Ｌ２、Ｌ３とは異なる材料であってもよく、また、上層にある導電層がスルーホールＴＨ１乃至ＴＨ４の部分で下層の導電層とコンタクトするように構成されていても良い。
【００３０】
スルーホールＴＨ３は、導電部Ｌ１Ｃに設けられている。導電層Ｌ３は、スルーホールＴＨ３の下層部分において除去されている。スルーホールＴＨ３は導電層Ｌ１のみを貫通するように設けられ、スルーホールＴＨ３に配置された導電性部材によって導電層Ｌ１と導電層Ｋ２とが電気的に接続される。
【００３１】
スルーホールＴＨ４は、導電部Ｌ１Ｄに設けられている。スルーホールＴＨ４は第２導電層Ｌ２を貫通するように設けられ、スルーホールＴＨ４に配置された導電性部材によって導電層Ｌ１乃至導電層Ｌ３は互いに電気的に接続されている。
【００３２】
ここで、例えば、導電層Ｌ１の導電部Ｌ１Ａと導電部Ｌ１Ｄとが接続部材である接続抵抗ＣＮ１によって接続された場合、ビスＥＰ１を介して外部から回路基板１４に入力されるノイズは、例えば図２に矢印で示した経路Ｒ１のように複数の導電層Ｌ１、Ｌ２、Ｌ３に広がる。
【００３３】
すなわちノイズは、ビスＥＰ１から導電部Ｌ１Ａへ広がり、導電部Ｌ１Ａから接続抵抗ＣＮ１を介して導電部Ｌ１Ｄへと広がる。導電部Ｌ１Ｄに到達したノイズは、スルーホールＴＨ１およびスルーホールＴＨ４に配置された導電性部材によって導電層Ｌ２および導電層Ｌ３へと広がる。
【００３４】
また、例えば、導電層Ｌ１の導電部Ｌ１Ａと導電部Ｌ１Ｂとが接続部材である接続抵抗ＣＮ２によって接続された場合、ビスＥＰ１を介して外部から回路基板１４に入力されるノイズは、例えば図２に矢印で示した経路Ｒ２のように複数の導電層Ｌ１、Ｌ２、Ｌ３に広がる。
【００３５】
すなわちノイズは、ビスＥＰ１から導電部Ｌ１Ａへ広がり、導電部Ｌ１Ａから接続抵抗ＣＮ２を介して導電部Ｌ１Ｂへと広がる。導電部Ｌ１Ｂに到達したノイズは、スルーホールＴＨ２に配置された導電性部材によって、導電層Ｌ３の導電部Ｌ３Ａへと広がる。導電部Ｌ３Ａに到達したノイズは、導電部Ｌ３Ａにおいてその平面方向に広がり、スルーホールＴＨ１に配置された導電性部材によって、導電層Ｌ２の導電部Ｌ２Ｂおよび導電層Ｌ１の導電部Ｌ１Ｄへと広がる。
【００３６】
また、例えば導電層Ｌ１の導電部Ｌ１Ａと導電部Ｌ１Ｃとが接続部材である接続抵抗ＣＮ３によって接続された場合、ビスＥＰ１を介して外部から回路基板１４に入力されるノイズは、例えば図２に矢印で示した経路Ｒ３のように複数の導電層Ｌ１、Ｌ２、Ｌ３に広がる。
【００３７】
すなわちノイズは、ビスＥＰ１から導電部Ｌ１Ａへ広がり、導電部Ｌ１Ａから接続抵抗ＣＮ３を介して導電部Ｌ１Ｃへと広がる。導電部Ｌ１Ｃに到達したノイズは、スルーホールＴＨ３に配置された導電性部材によって、導電層Ｌ２の導電部Ｌ２Ｃへと広がる。導電部Ｌ２Ｃに到達したノイズは、導電部Ｌ２Ｃにおいてその平面方向に広がり、スルーホールＴＨ４に配置された導電性部材によって、導電層Ｌ１の導電部Ｌ１Ｄおよび導電層Ｌ３の導電部Ｌ３Ｂへと広がる。
【００３８】
上記のように、本実施形態に係る表示装置では、回路基板１４の接地部１４ｂにおいて、外部から入力される静電気等のノイズの経路を例えば経路Ｒ１乃至経路Ｒ３のうちから選択することが可能となる。
【００３９】
すなわち、本実施形態に係る表示装置では、図２に示すように、外部アース接続部のＰＣＢグランドを全層に直接接続するのではなく導電層Ｌ１、Ｌ２、Ｌ３へ接続した後にそれぞれ全層に広がる構造としている。
【００４０】
このように接続抵抗ＣＮ１乃至ＣＮ３の有無によって、グランド構造を変える事ができるように構成する事で、回路基板１４内に設けられる集積回路の配置等の状況に応じて、メインとなるグランド層に直接接続するのか、他のグランド層へ迂回させて接続するのかを選択する事ができる。
【００４１】
ノイズに対する影響は、例えば、回路基板１４に実装される部品の部品特性・耐性・配置により様々である。したがって、回路基板１４に実装される部品等に対応して、ノイズの経路を変更する必要がある。
【００４２】
本実施形態に係る表示装置によれば、上記のようにノイズの経路を変更することによって、実装される部品等の種類に応じて、例えば、外部から入力されるグランドノイズを信号ノイズと同じタイミングとしたり、グランドノイズと信号ノイズとのタイミングをずらしたりすることによって、ノイズを減衰させて入力できるようにしてノイズ対策を行うことができる。
【００４３】
例えば、回路基板１４の表層に実装された集積回路についてノイズの影響を回避する場合に、接続抵抗の有無を変更するだけで、集積回路へのノイズの影響が小さくなるように、ノイズが広がる経路を選択することが可能となる。例えば、外部アースから入力されるノイズを表層のグランド層に入力せずに、ノイズが他のグランド層を迂回して表層のグランド層に入力されるようにすることが可能である。
【００４４】
表示装置の設計段階において、回路基板１４の接地部１４ｂにおいて、ノイズがどのような経路で広がるように設計するのが良いかを判断することは困難であるが、上記のように、接続抵抗ＣＮ１乃至ＣＮ３の有無によって複数の経路からノイズの広がる経路として選択可能とすることによって、回路基板１４へのノイズの影響を低減させることができる。
【００４５】
また、本実施形態に係る表示装置によれば、外部アース構造や回路基板１４内の部品配置に関わらず、回路基板１４へのノイズの影響を低減させることができるため、回路基板１４の汎用性を高めることができ、製造留まりの低下を抑制することができる。
【００４６】
すなわち、本実施形態に係る表示装置によれば、回路基板の適切なグランド構造を選択可能な表示装置、および、その表示装置に用いられる回路基板を提供することができる。
【００４７】
次に、本発明の第２実施形態に係る表示装置について、図面を参照して以下に説明する。なお、以下の説明において、上述の第１実施形態に係る表示装置と同様の構成については、同一の符号を付して説明を省略する。
【００４８】
本実施形態に係る表示装置は、上述の第１実施形態に係る表示装置と同様に液晶表示装置１００であって、略矩形状の液晶表示パネル１０、液晶表示パネル１０を裏面から照明する面光源装置３０、液晶表示パネル１０と面光源装置３０とを支持するフレーム４０、およびフレーム４０に取り付けられて液晶表示パネル１０の周縁部を保持するベゼルカバー２０を備えている。
【００４９】
液晶表示パネル１０に駆動信号を供給する矩形平板状の回路基板１４は、細長い矩形略平板状のフレキシブル基板１６を介して、液晶表示パネル１０の一側縁に電気的に接続されている。回路基板１４は、例えば基板の角部に配置された接地部１４ｂを有している。
【００５０】
図３に示すように、回路基板１４は、熱可塑性樹脂からなる絶縁基材（図示せず）を介して配置された複数の導電層Ｌ１、Ｌ２、Ｌ３と、導電層Ｌ１、Ｌ２、Ｌ３を貫通するように配置されたビスＥＰ１と、を有している。
【００５１】
導電層Ｌ１は、回路基板１４の上面側に配置された導電層である。導電層Ｌ１は、略矩形状であって島状の導電部Ｌ１Ｅと、導電部Ｌ１Ｅを囲むように配置された導電部Ｌ１Ｆとを有している。導電層Ｌ２は、２つの導電部Ｌ２Ｄ、Ｌ２Ｅを有している。導電部Ｌ２Ｄは導電部Ｌ１Ｅに対向して配置されている。導電部Ｌ２Ｅは、導電部Ｌ１Ｆに対向して配置されている。
【００５２】
導電層Ｌ３は２つの導電部Ｌ３Ｃ、Ｌ３Ｄを有している。導電部Ｌ３Ｃは、導電部Ｌ１Ｅに対向するように配置されている。導電部Ｌ３Ｄは、導電部Ｌ１Ｆに対向するように配置されている。
【００５３】
導電部Ｌ１Ｅには、ビスＥＰ１が配置されるホール、および、他の導電層Ｌ２、Ｌ３と接続するためのスルーホールＴＨ６、ＴＨ７が設けられている。導電部Ｌ１Ｆには、他の導電層Ｌ２、Ｌ３と接続するためのスルーホールＴＨ５、ＴＨ８が設けられている。
【００５４】
ビスＥＰ１は、線Ｂ−Ｂ´が延びる方向において、導電部Ｌ１Ｅの中央部に配置されている。スルーホールＴＨ６およびスルーホールＴＨ７は、線Ａ−Ａ´の延びる方向において、導電部Ｌ１Ｅの一方の端部と他方の端部とにそれぞれ配置されている。スルーホールＴＨ５およびスルーホールＴＨ８は、線Ａ−Ａ´が延びる方向において、導電部Ｌ１Ｆの一方の端部と他方の端部とにそれぞれ配置されている。
【００５５】
スルーホールＴＨ５乃至ＴＨ８には導電性部材が配置されている。なお、この導電性部材は導電層Ｌ１、Ｌ２、Ｌ３とは異なる材料であってもよく、また、上層にある導電層がスルーホールＴＨ５乃至ＴＨ８の部分で下層の導電層とコンタクトするように構成されていても良い。
【００５６】
スルーホールＴＨ５、およびスルーホールＴＨ８は、導電層Ｌ２の導電部Ｌ２Ｅを貫通するように設けられている。導電層Ｌ１の導電部Ｌ１Ｆ、導電層Ｌ２の導電部Ｌ２Ｅ、および導電層Ｌ３の導電部Ｌ３Ｄは、スルーホールＴＨ５およびスルーホールＴＨ８に配置された導電性部材によって、互いに電気的に接続されている。
【００５７】
スルーホールＴＨ６およびスルーホールＴＨ７は、導電層Ｌ２の導電部Ｌ２Ｄを貫通するように設けられている。導電層Ｌ１の導電部Ｌ１Ｅ、導電層Ｌ２の導電部Ｌ２Ｄ、および導電層Ｌ３の導電部Ｌ３Ｃは、スルーホールＴＨ６およびスルーホールＴＨ７に配置された導電性部材によって、互いに電気的に接続されている。
【００５８】
ここで、例えば、導電層Ｌ１の導電部Ｌ１Ｅと導電部Ｌ１Ｆとが接続部材である接続抵抗ＣＮ４によって接続された場合、ビスＥＰ１を介して外部から回路基板１４に入力されるノイズは、例えば図３に矢印で示した経路Ｒ４のように複数の導電層Ｌ１、Ｌ２、Ｌ３に広がる。
【００５９】
すなわちノイズは、ビスＥＰ１から導電部Ｌ１Ｅへ広がり、導電部Ｌ１Ｅから接続抵抗ＣＮ１を介して導電部Ｌ１Ｆへと広がる。導電部Ｌ１Ｆに到達したノイズは、線Ａ−Ａ´が延びる方向に沿って、それぞれ導電部Ｌ１Ｆの端部へ向かって広がっていく。このようにノイズが広がる過程において、スルーホールＴＨ５乃至スルーホールＴＨ８に配置された導電部材によって、ノイズが他の導電層Ｌ２、Ｌ３へと広がる。
【００６０】
また、例えば、導電層Ｌ１の導電部Ｌ１Ｅと導電部Ｌ１Ｆとが接続部材である接続抵抗ＣＮ５によって接続された場合、ビスＥＰ１を介して外部から回路基板１４に入力されるノイズは、例えば図３に矢印で示した経路Ｒ５のように複数の導電層Ｌ１、Ｌ２、Ｌ３に広がる。
【００６１】
すなわちノイズは、ビスＥＰ１から導電部Ｌ１Ｅへ広がり、導電部Ｌ１Ｅから接続抵抗ＣＮ５を介して導電部Ｌ１Ｆへと広がる。導電部Ｌ１Ｆに到達したノイズは、線Ａ−Ａ´が延びる方向と略直交する方向に沿って導電部Ｌ１Ｆの端部へと広がる。
【００６２】
さらに、導電部Ｌ１Ｆの端部近傍に到達したノイズは、線Ａ−Ａ´が延びる方向に沿って、導電部Ｌ１Ｆの他の端部へと広がる。このようにノイズが広がる過程において、スルーホールＴＨ５乃至ＴＨ８に配置された導電部材によって、ノイズが他の導電層Ｌ２、Ｌ３へと広がる。
【００６３】
また、例えば、導電層Ｌ１の導電部Ｌ１Ｅと導電部Ｌ１Ｆとが接続部材である接続抵抗ＣＮ６によって接続された場合、ビスＥＰ１を介して外部から回路基板１４に入力されるノイズは、例えば図３に矢印で示した経路Ｒ６のように複数の導電層Ｌ１、Ｌ２、Ｌ３に広がる。
【００６４】
すなわちノイズは、ビスＥＰ１から導電部Ｌ１Ｅへ広がり、導電部Ｌ１Ｅから接続抵抗ＣＮ６を介して導電部Ｌ１Ｆへと広がる。導電部Ｌ１Ｆに到達したノイズは、線Ａ−Ａ´が延びる方向に沿って導電部Ｌ１Ｆの端部へと広がる。
【００６５】
さらに、導電部Ｌ１Ｆの端部近傍に到達したノイズは、線Ａ−Ａ´が延びる方向に略直交する方向に沿って、導電部Ｌ１Ｆの他の端部へと広がる。さらに導電部Ｌ１Ｆの端部近傍に到達したノイズは線Ａ−Ａ´が延びる方向に沿って導電部Ｌ１Ｆの他の端部へと広がる。このようにノイズが広がる過程において、スルーホールＴＨ５乃至ＴＨ８に配置された導電部材によって、ノイズが他の導電層Ｌ２、Ｌ３へと広がる。
【００６６】
また、例えば、導電層Ｌ１の導電部Ｌ１Ｅと導電部Ｌ１Ｆとが接続部材である接続抵抗ＣＮ７によって接続された場合、ビスＥＰ１を介して外部から回路基板１４に入力されるノイズは、例えば図３に矢印で示した経路Ｒ７のように複数の導電層Ｌ１、Ｌ２、Ｌ３に広がる。
【００６７】
すなわちノイズは、ビスＥＰ１から導電部Ｌ１Ｅへ広がり、導電部Ｌ１Ｅから接続抵抗ＣＮ７を介して導電部Ｌ１Ｆへと広がる。導電部Ｌ１Ｆに到達したノイズは、線Ａ−Ａ´が延びる方向と略直交する方向に沿って導電部Ｌ１Ｆの端部へと広がる。
【００６８】
さらに、導電部Ｌ１Ｆの端部近傍に到達したノイズは、線Ａ−Ａ´が延びる方向に沿って、導電部Ｌ１Ｆの他の端部へと広がる。さらに導電部Ｌ１Ｆの端部近傍に到達したノイズは線Ａ−Ａ´が延びる方向と略直交する方向に沿って導電部Ｌ１Ｆの他の端部へと広がる。このようにノイズが広がる過程において、スルーホールＴＨ５乃至ＴＨ８に配置された導電部材によって、ノイズが他の導電層Ｌ２、Ｌ３へと広がる。
【００６９】
図３に示すように、接続抵抗ＣＮ４乃至ＣＮ７はいずれも導電部Ｌ１Ｅと導電部Ｌ１Ｆとを接続する抵抗である。接続抵抗ＣＮ４乃至ＣＮ７は、略矩形状の導電部Ｌ１Ｅの４つの端辺と、その４つの端辺と対向する導電部Ｌ１Ｆの４つの端辺との近傍をそれぞれ接続するように配置されている。
【００７０】
上記のように、本実施形態に係る表示装置では、回路基板１４の接地部１４ｂにおいて、外部から入力されるノイズの経路を例えば経路Ｒ４乃至経路Ｒ７のうちから選択することが可能となる。本実施形態に係る表示装置では、同じ２つの導電部を接続する接続抵抗ＣＮ４乃至ＣＮ７の実装有無によって、外部アースから入力されるノイズの経路を変更できる構造となる。
【００７１】
すなわち、接続抵抗ＣＮ４乃至ＣＮ７はいずれも導電部Ｌ１Ｅと導電部Ｌ１Ｆとを接続する抵抗であるが、接続抵抗ＣＮ４乃至ＣＮ７のそれぞれが配置される位置は異なっている。そのため、接続抵抗ＣＮ４乃至ＣＮ７の実装有無によって、回路基板１４の同一層内においてノイズの経路が変わる。したがって、接続抵抗ＣＮ４乃至ＣＮ７の有無によって、回路基板１４の同一導電層内の位置によってもノイズの影響に差を設けることができる。
【００７２】
すなわち、本実施形態に係る表示装置によれば、同じ２つの導電部を接続する接続抵抗を、異なる位置に接続可能とすることによって、回路基板１４に実装される部品等の種類に応じて、外部から入力されるノイズを信号ノイズと同じタイミングでずらしたり、グランドノイズと信号ノイズとのタイミングをずらしたり減衰させて入力できるようにしてノイズ対策を行うことができる。
【００７３】
したがって、回路基板の適切なグランド構造を選択可能な表示装置、および、その表示装置に用いられる回路基板を提供することができる。
【００７４】
なお、この発明は、上記実施形態そのままに限定されるものではなく、実施段階ではその要旨を逸脱しない範囲で構成要素を変形して具体化できる。例えば、上記の実施形態に係る表示装置は液晶表示装置であったが、これに限らず、上記のようなグランド構造を備えた回路基板を備える表示装置であれば上記の実施形態に係る表示装置と同様の効果を得ることができる。
【００７５】
また、本発明に係る表示装置の回路基板のグランド構造は、上記の実施形態で記載した構造に限られない。抵抗等の接続部材の有無により、グランド構造を変更可能であれば良く、接続部材は抵抗に限られない。
【００７６】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７７】
【図１】本発明の一実施形態に係る表示装置の一構成例を概略的に示す図。
【図２】図１に示す表示装置の駆動基板の第１構成例を概略的に示す図。
【図３】図１に示す表示装置の駆動基板の第２構成例を概略的に示す図。
【符号の説明】
【００７８】
ＰＸ…表示画素、Ｌ１、Ｌ２、Ｌ３…導電層、Ｌ１Ａ…第１導電部、Ｌ１Ｂ〜Ｌ１Ｄ…導電部、ＣＮ１〜ＣＮ７…接続抵抗（接続部材）、１０…表示パネル、１２…表示部、１４…回路基板、１４ｂ…接地部、１６…フレキシブル基板（接続手段）、１００…表示装置
【図１】
2010026169.tif 000003
【図２】
2010026169.tif 000004
【図３】
2010026169.tif 000005